(57)【特許請求の範囲】
【請求項１】
噴射しようとする内容物を充填し、ステムを備えたエヤゾール装置の噴出経路の途中に設けられ、噴射操作から遅れて内容物を噴出させる噴出遅延機構であって、
内容物を導入する導入孔および噴出させる噴出孔を備えた圧力室と、
その圧力室の内面または外面と摺動して噴出孔を開閉するスライド弁と、
圧力室の内圧が高くなるとスライド弁を開く方向に付勢する開弁手段と、
スライド弁が開くときの動きを緩慢にするための抵抗要素とを備えており、
前記抵抗要素が、流体摩擦により抵抗力を与える流体ダンパである
エヤゾール装置の噴出遅延機構。
【請求項２】
前記流体ダンパが、第１室と、その第１室と流路抵抗を介して連通している第２室と、第１室に充填された流体と、第１室の内部を加圧する手段とを有し、かつ、前記開弁手段と第１室を加圧する手段とが連動して作用するように構成されている請求項１記載の噴出遅延機構。
【請求項３】
前記開弁手段の動作がスライド弁に直接伝達され、前記流体ダンパの第１室を加圧する手段が、スライド弁の開弁の動作に基づいて作動する請求項２記載の噴出遅延機構。
【請求項４】
前記開弁手段が圧力室の内部に摺動自在に収容されたピストンであり、そのピストンの側壁が前記スライド弁を構成していると共に、ピストンで仕切られるシリンダの一方の空所側に導入孔が設けられている請求項３記載の噴出遅延機構。
【請求項５】
前記圧力室におけるピストンで仕切られる他方の空所がダンパの第１室を構成しており、そのピストンが前記第１室を加圧する手段である請求項４記載の噴出遅延機構。
【請求項６】
前記圧力室の他方の空所側の端面壁ないしその近辺にダンパの流路抵抗となるオリフィスが形成されており、圧力室の外部にそのオリフィスと連通する第２室が設けられている請求項５記載の噴出遅延機構。
【請求項７】
前記流体ダンパが開弁手段を兼ねており、圧力室の内圧の増加により流体ダンパが作動し、流体ダンパの作動によりスライド弁が開く方向にスライドする請求項１記載の噴出遅延機構。
【請求項８】
前記圧力室が、側壁に噴出孔を備えると共に端面壁ないしその近辺に流路抵抗を備えたシリンダの内部空間であり、
そのシリンダの端面壁側の外部に、噴出孔を塞ぐ位置と開放する位置との間で摺動するように有底筒状のスライドキャップが被せられており、
そのスライドキャップの側壁が前記噴出孔を開閉するスライド弁であり、
シリンダ内部が圧力室とダンパの第１室を兼ねると共に、スライドキャップの内部が第２室を構成している、
請求項７記載の噴出遅延機構。
【請求項９】
ダンパの第２室を加圧する手段を備えている請求項２記載の噴出遅延機構。
【請求項１０】
ダンパの第２室が容積可変の密閉構造を有し、かつ、その第２室の容積を少なくするように付勢することにより第２室を加圧する付勢手段を備えている請求項９記載の噴出遅延機構。
【請求項１１】
前記付勢手段が外部から第２室の容積を減らす方向に操作できるように構成されている請求項１０記載の噴出遅延機構。
【請求項１２】
前記圧力室が、側壁に噴出孔を備えると共に端面壁ないしその近辺に流路抵抗を備えたシリンダの内部空間であり、
そのシリンダの端面壁側の外部に、摺動自在に有底筒状のスライドキャップが被せられており、
そのスライドキャップの内部が前記ダンパの第２室を構成している請求項１０記載の噴出遅延機構。
【請求項１３】
前記付勢手段が常時第２室の容積を減らす方向に弾力的に付勢するバネである請求項９記載の噴出遅延機構。
【請求項１４】
ダンパの第２室が密閉構造を有し、その内部に密封した圧縮性流体が前記加圧手段を構成している請求項９記載の噴出遅延機構。
【請求項１５】
前記抵抗要素として、開弁手段による付勢力よりも小さい力で弾力的にスライド弁を閉方向に付勢するバネ手段を備えている請求項１記載の噴出遅延機構。
【発明の詳細な説明】
【０００１】
【発明の属する技術分野】
本発明はエアゾール装置に用いられる噴出遅延機構に関する。さらに詳しくは、エヤゾール装置の噴出操作をした直後は内容物を噴出させず、所定時間経過後に噴出を開始させるエヤゾール装置の噴出遅延機構に関する。このような噴出遅延機構は、エヤゾール装置により家屋や車室内を殺菌・消毒したり、害虫駆除剤で薫蒸したり、帯電防止剤を噴霧する場合に、使用者が室内から待避した後に噴出を開始させるために用いる。
【０００２】
【従来の技術】
本出願人は先に、原液やプロペラントからなる内容物の噴出経路の途中に、導入孔と流出孔とを備えた密閉状容器を介在させ、その密閉状容器の内部に高粘度液体を充填したエアゾール装置用の遅延噴射装置を提案している（特公平８ー２９７９２号公報）。このものはエヤゾール装置を開弁した直後は高粘度液体が流出孔を塞いでいるので、内容物が流出孔から噴出しない。そして導入孔から導入される内容物の圧力で流出孔から粘性流体を流出させ、密閉状容器内の粘性流体がなくなるか、減少した後に初めて被噴射物を流出孔から流出させる。したがって粘性流体が流れ出るのに要する時間だけ、内容物の噴出の開始を遅らせることができる。さらに前記公報には、前記容器に、高速で噴出する被噴射物を通過させ、かつ流出孔から流出した高粘度液体を収容する収容室を設けることも提案されている。
【０００３】
【発明が解決しようとする課題】
前記従来の遅延噴射装置は、可動部分がなく、構成がシンプルである半面、流出孔から高粘度液体を流出させるので、居室内や車内に高粘度液体が散布されてしまうという問題がある。また、流出孔から流出した高粘度液体を収容する収容室を設ける場合でも、その一部が被噴射物と共に噴出する場合がある。さらにいずれの場合でも、同じ流出孔から高粘度液体と被噴射物を流出させるので、被噴射物の噴射状態と、高粘度流体の通過時間、すなわち遅延時間とを別個に設定することが難しい。本発明は、このような問題を解消し、高粘度液体などを流出させることがなく、噴出形態と噴出時間とを互いに依存しないように設定しうる、エヤゾール装置の遅延噴射機構を提供することを第１の技術課題としている。
【０００４】
また前記従来の遅延噴射装置は、最初にエヤゾール装置を開弁したときは有効に働くが、途中で一旦噴出を停止し、再度噴出させる場合は、もはや密閉状容器内に粘性流体が残っていないため、遅延作用を奏しない。本発明は、途中で噴出を停止した後、簡単な操作で元の状態に復帰させることができ、それにより噴出を再開する場合でも遅延作用を奏しうる噴出遅延機構を提供することを第２の技術課題としている。
【０００５】
【課題を解決するための手段】
［噴出遅延機構の基本構成］  本発明の噴出遅延機構は、噴射しようとするエヤゾール装置の内容物を導入する導入孔および噴出させる噴出孔を備えた圧力室と、その圧力室の内面または外面と摺動して噴出孔を開閉するスライド弁と、圧力室の内圧が高くなるとスライド弁を開く方向に付勢する開弁手段と、スライド弁が開くときの動きを緩慢にするための抵抗要素とを備えていることを特徴としている。
【０００６】
［抵抗要素がダンパであるもの］  前記抵抗要素は、流体摩擦により抵抗力を与える流体ダンパとするのが好ましい。そのような流体ダンパは、第１室と、その第１室と流路抵抗を介して連通している第２室と、第１室に充填された流体と、第１室の内部を加圧する手段とから構成することができ、その場合は前記開弁手段と第１室を加圧する手段とが連動して作用するように構成する。
【０００７】
前記開弁手段と加圧手段の連動の関係については、開弁手段の動作がスライド弁に直接伝達する場合は、流体ダンパの第１室を加圧する手段が、スライド弁の開弁の動作に基づいて作動するように構成することができる。そのような連動関係は、開弁手段を圧力室の内部に摺動自在に収容したピストンとし、そのピストンの側壁により前記スライド弁を構成すると共に、ピストンで仕切られるシリンダの一方の空所側に導入孔を設けることにより実現できる。
【０００８】
このものにおいては、圧力室におけるピストンで仕切られる他方の空所により、ダンパの第１室を構成し、そのピストンにより第１室を加圧する手段とすることができる。さらに圧力室の他方の空所側の端面壁ないしその近辺にダンパの流路抵抗となるオリフィスを形成し、圧力室の外部にそのオリフィスと連通する第２室を設けることができる。
【０００９】
開弁手段を加圧手段の連動関係の他の例としては、流体ダンパに開弁手段を兼ねさせ、それにより圧力室の内圧の増加により流体ダンパが作動し、流体ダンパの作動によりスライド弁が開く方向にスライドする構成とすることができる。たとえば、圧力室を、側壁に噴出孔を備えると共に端面壁ないしその近辺に流路抵抗を備えたシリンダの内部空間により構成し、そのシリンダの端面壁側の外部に、噴出孔を塞ぐ位置と開放する位置との間で摺動するように有底筒状のスライドキャップを被せ、そのスライドキャップの側壁をスライド弁とすると共に、シリンダ内部により圧力室とダンパの第１室の両方を兼ねさせ、スライドキャップの内部をダンパの第２室とすることにより実現できる。
【００１０】
［可逆操作が可能な装置］  前記第１室と第２室とを流路抵抗を介して連通させた流体ダンパを抵抗要素とする噴出遅延機構では、ダンパの第２室を加圧する手段を設けるのがさらに好ましい。このような加圧手段は、ダンパの第２室を容積可変の密閉構造とし、かつ、その第２室の容積を少なくするように付勢する付勢手段を設けることにより実現できる。そのような付勢手段は、外部から第２室の容積を減らす方向に手動操作できるものが好ましい。たとえば前記圧力室を、側壁に噴出孔を備えると共に端面壁ないしその近辺に流路抵抗を備えたシリンダにより構成し、そのシリンダの端面壁側の外部に、摺動自在に被せた有底筒状のスライドキャップによりダンパの第２室を構成すれば、そのスライドキャップが手動操作可能な付勢手段となる。
【００１１】
また前記付勢手段は、常時第２室の容積を減らす方向に弾力的に付勢するバネにより実現することもできる。さらにダンパの第２室を密閉構造とし、その内部に密封した圧縮性流体により加圧手段を構成することもできる。
【００１２】
［抵抗要素がバネ手段であるもの］  本発明の基本的な構成における抵抗要素としては、前述の流体ダンパのほか、たとえば開弁手段による開き方向の付勢力よりも小さい力で弾力的にスライド弁を閉方向に付勢するバネ手段によっても実現することができる。バネ手段には圧縮ガスも含まれる。
【００１３】
【作用】
［噴出遅延機構］  本発明の噴出遅延機構の基本的な構成においては、エヤゾール装置を開弁すると導入孔を通じて圧力室に内容物が入ってくる。そのときスライド弁が噴出孔を閉じているので、内容物は直ちには噴出孔から噴出せず、圧力室に充満する。圧力室の内圧が上昇すると、開弁手段によりスライド弁が開こうとするが、抵抗要素の抵抗でその動きが緩慢になる。そしてスライド弁が所定の距離だけ開き方向に移動した後、初めて噴出孔が開く。このように本発明の噴出遅延機構では、エヤゾール装置を開弁させてスライド弁が動作を始めてから最終的に噴出孔が開くまでに一定の時間が経過する。したがって遅延噴出作用が達成される。
【００１４】
本発明の噴出遅延機構では、上記のように噴出孔をスライド弁で塞ぐようにしたから、粘性流体を充填して噴出経路を塞ぐ必要がない。そのため従来の装置のような粘性流体が外部に流出する問題はない。さらに噴出孔には液体などが通らないので、自由にその形態を設定することができ、遅延時間は抵抗要素により個別に設定することができる。
【００１５】
抵抗要素として流体ダンパを採用した噴出遅延機構では、粘性流体を外部に流出させることなく、遅延時間を従来と同程度かそれ以上に長くすることができる。すなわち流体摩擦による抵抗は、スライド弁の開く速度が速くなるほど抵抗が大きくなり、逆に速度が遅くなると抵抗が小さくなる傾向がある。そのため、遅延させうる時間は圧力室に生ずる内圧の大きさにあまり依存せず、スライド弁が開き切るまでの時間を相当長くすることができ、しかもその時間のばらつきが少ない。
【００１６】
流体ダンパを流路抵抗を介して連通させた第１室と第２室とから構成した装置では、開弁手段がスライド弁を作動させるときにダンパの第１室が加圧され、第１室の流体が流路抵抗を通って第２室に移動する。この装置では、流体の容量が大きく、流路抵抗を大きくすることができ、それにより遅延時間を長くすることができる。
【００１７】
開弁手段の動作を直接スライド弁に伝達させる場合は、開弁手段が作動したときにまずスライド弁が開こうとし、ついでその動きに応じてダンパの第１室が加圧され、スライド弁の動きに抵抗を与える。このものはダンパを比較的独立した機構として構成することができる。ピストンで開弁手段とスライド弁を構成した装置では、最初はピストンの側面で噴出孔が塞がれている。そして導入孔から入ってくる内容物でピストンと圧力室の間の空所が加圧され、ピストンが抵抗要素ないしダンパの抵抗に抗しながら開き方向にゆっくりと移動する。さらに所定時間の経過後に、ピストンの側面が噴出孔から外れ、それにより噴出孔が開いて内容物が噴出孔から噴出する。
【００１８】
圧力室の端面壁ないしその近辺にオリフィスを設け、その外側にダンパの第２室を設けた装置では、圧力室と第２室と間に端面壁があるだけであるので、全体をコンパクトに構成することができる。
【００１９】
流体ダンパに開弁手段を兼ねさせた装置では、圧力室の内圧が上昇することによりまず流体ダンパの第１室が加圧され、それにより第１室内の流体が流路抵抗を通って第２室に移動し、その移動に伴ってスライド弁が開き方向に移動する。したがってスライド弁の動きは流体の移動速度によって規制され、緩慢な動きとなる。前述のスライドキャップで第２室とスライド弁とを兼ねさせた装置では、圧力室の内圧が上昇すると流体が流路抵抗を通ってスライドキャップの内部に入り、スライドキャップをゆっくりと移動させ、最終的に噴出孔を開く。
【００２０】
［可逆操作が可能な装置］  ダンパの第２室を加圧する手段を備えた装置では、エヤゾール装置を閉弁して加圧状態の内容物が圧力室に流入するのを停止し、ついでダンパの第２室を加圧することにより第２室内の流体を第１室に戻すと共に、スライド弁で噴出孔を再び塞ぐことにより、元の状態に戻る。それにより再度エヤゾール装置を開弁するときに遅延作用を奏させることができる。第２室を容積可変の密閉構造とし、第２室の容積を減少させる付勢手段を設けたものでは、その付勢手段により第２室の容積を減少させることにより、第２室内を加圧することができる。
【００２１】
ダンパの第２室をスライドキャップにより構成した装置では、スライドキャップを付勢手段として利用することができる。このものは手動操作で元の状態に復帰させることができる。他方、第２室をシリンダ−ピストン構造により構成すると共に、ピストンを付勢するバネを設けると、自動的に復帰操作をさせることができる。
【００２２】
［他の抵抗要素を用いる場合］  スライド弁の動作を緩慢にする抵抗要素としてバネ手段を採用した装置では、圧力室内に内容物がある程度充填し、スライド弁が所定の距離だけ移動するまでは噴出孔が塞がれている。そしてスライド弁が所定の距離だけ移動した時点で初めて噴出孔が開き、内容物が噴出孔から噴出される。内容物に加圧ガスが含まれている一般的なエヤゾール装置に使用する場合は、圧力室内の圧力が上昇し、バネ手段に抗しながらスライド弁を開き方向に移動させるので、それに応じて遅延時間が長くなる。
【００２３】
【発明の実施の形態】
つぎに図面を参照しながら本発明の噴出遅延機構の実施の形態を説明する。図１ａおよび図１ｂに示す噴出遅延機構Ａは、シリンダ１と、その内部に軸方向摺動自在に収容されるピストン２と、シリンダ１の上端側の外面にスライド自在に被せられる有底筒状のスライドキャップ３と、シリンダ１内に充填された比較的粘度が高い液体４とからなる。またシリンダ１の上端の外周面には環状突起１ａを設け、スライドキャップ３の下端の内周面には、その環状突起１ａと係合するストッパ３ａを設けている。そしてストッパ３ａと環状突起１ａの係合により、スライドキャップ３が抜けるのを防止している。なおスライドキャップ３をシリンダ１の外周に嵌合させるとき、スライドキャップ３の下端が拡がるように、スライドキャップ３の下部の３〜４か所に縦方向のスリットを形成してもよい。
【００２４】
この実施形態では、シリンダ１の下端側は、エヤゾール装置のステムなどに連結される導入口５として開放しており、上端が端面壁６で閉じている。シリンダ１の側壁７には噴出孔８が設けられている。端面壁６にはシリンダ１の内部とスライドキャップ３の内部を連通する連通孔９が形成されている。この噴出遅延機構Ａでは、シリンダ１の内部、とくにピストン２から下方の空所Ｐが請求項１にいう圧力室である。またピストン２は比較的長く形成され、その側壁７がスライド弁であり、ピストン２自体がスライド弁を付勢する手段である。この実施形態ではピストン２はピストンロッドを有しない、いわゆるフリーピストンの形態をとっている。
【００２５】
シリンダ１の内部のうち、ピストン２の上部側の空所Ｓ１が請求項３にいう流体ダンパの第１室であり、スライドキャップ３とシリンダ１の端面壁６とで構成される空所Ｓ２が第２室である。そしてシリンダ１の上部、端面壁６およびスライドキャップ３が流体ダンパであり、端面壁６に形成した連通孔９が流路抵抗である。この実施形態では、流体４が入る第１室Ｓ１と圧力室Ｐとがピストン２で隔離されている。そのため液体４が外部に流出するおそれがほとんどない。
【００２６】
上記の液体４の粘度は遅延時間や圧力室に必要な圧力を決定する要因であるので、遅延時間の長さ、ピストン径の大きさなどに応じて定めればよく、ほぼ１０〜１０万ｃｐｓの範囲から選択する。比較的粘度が高い液体４としては、シリコーンオイル、グリセリン、水に増粘剤を添加したものなどがあげられるが、それ以外のものであってもよい。
【００２７】
このバルブＡは、たとえば図２に示す開弁状態を保持させうる機能を備えたエヤゾール装置Ｔのノズル部材として用いられる。図２のエヤゾール装置Ｔは、ステム１０を押し下げるレバー１１を押し込んでバルブを開弁させたとき、想像線で示すように、レバー１１に設けた係合突起１１ａがカバー１２の下面に弾力的に係合し、その開弁状態を保持するものである。このものはレバー１１を引き上げることにより、開弁保持状態を解消することができる。なお、図３に示すエヤゾール装置Ｔ２は、カバー１２の下面に傾斜させたカム面１３を形成しておき、ステム１０に取り付けた接続部１４を回転させることにより、カム突起１４ａのカム面１３と係合する位置に応じてステム１０を上下させるものである。したがって、接続部１４の回転位置に応じて開弁状態と閉弁状態とを切り替えることができる。なお開弁保持機構としては、上記のほか、従来公知の種々のものを採用することができる。
【００２８】
図２に示す例ではエヤゾール装置Ｔのステム１０と噴出遅延機構Ａとをチューブ１４で連結しているが、図１ａおよび図１ｂでは、想像線で示すように、エヤゾール装置のステム１０に直接取り付けている。以下、図１ａおよび図１ｂを参照して噴出遅延機構Ａの作用を説明する。
【００２９】
上記の遅延バルブＡの場合は、図１ａに示すように、始めはピストン２が下方に位置しており、その側壁７が噴出孔８を塞いでいる。また液体４は第１室Ｓ１内に入っており、スライドキャップ３は下降している。この状態でスライドキャップ３の上端を押し込んでステム１０を押し下げ、図２の係合突起１１ａなどでエヤゾールバルブを開いた状態に維持させると、ステム１０から内容物の噴出が始まる。それによりエヤゾール装置の内容物が導入口５からシリンダ１の圧力室Ｐ内に入ってくる。この状態では噴出孔８が塞がっているので、内容物は噴出孔８から噴出しない。
【００３０】
圧力室Ｐ内の圧力が増加すると、ピストン２が上方に付勢される。そしてピストン２は第１室Ｓ１内の液体４を加圧し、液体４を排除しながら上昇する。それにより液体４は連通孔９を通って第２室Ｓ２に移動する。そのとき、流体摩擦抵抗の大きさと、第１室Ｓ１と第２室Ｓ２の圧力差とが釣り合い、流体摩擦抵抗は液体の粘性係数ないし粘度と速度勾配などによって定まる。そして液体４はそれらによって定まる所定の流速で液体４が連通孔９を通過するから、ピストン２の移動速度が規制され、緩慢な動きになる。
【００３１】
ピストン２が上昇を続け、図１ｂに示すように、ピストン２の下端が噴出孔８を超えたとき、圧力室Ｐ内の内容物が噴出孔８から外部に噴出する（矢印Ｋ）。それにより圧力室Ｐの内圧がいくらか減少するが、ピストン２はその位置から動かず、噴出が継続する。通常はそのままエヤゾール装置の内容物が全量噴出するまで継続し、室内の薫蒸などを行う。しかし噴出が少量でよい場合があり、さらには誤って、あるいは試しで噴出を開始したときなど、途中で噴出を停止させたい場合がある。
【００３２】
上記の噴出遅延機構Ａはそのような途中で噴出を停止した場合でも、最初の状態に復帰させることができる。すなわちエヤゾールバルブを閉弁した後、ステム１０を押し下げないようにしながらスライドキャップ３を押し下げる（矢印Ｒ）。それにより第２室Ｓ２内の液体４が再び第１室Ｓ１に移動し、同時にピストン２が噴出孔８を塞ぐ元の位置に戻る。そのため、つぎに噴出を再開するとき、再び遅延作用を得ることができる。
【００３３】
上記の実施形態の場合は、スライドキャップ３を押し下げるときにも液体を連通孔９に通すので、抵抗が大きい。そのため端面壁６に連通孔９とは別個に大径の孔を設け、その大径の孔に、第２室Ｓ２から第１室Ｓへはスムーズに通し、反対方向には通さないチェッキバルブを設けるようにしてもよい。
【００３４】
図１ａ〜図１ｂの噴出遅延機構Ａでは、スライドキャップ６により容積可変の密封した第２室Ｓ２を設けると共に、外部からスライド操作可能な構成としている。したがってピストン２は、ダンパの液体４を介して元の位置まで押し下げられる。しかしたとえばピストン２とスライドキャップ３とをピストンロッドないし連結棒（図示しない）などで連結することにより、ピストンを直接操作するようにしてもよい。その場合は第２室Ｓ２に圧縮性ガスが入っていても操作がスムーズになる。
【００３５】
他方、とくにピストンなどを復帰させる必要がない場合は、図４に示す噴出遅延機構Ｂのように、スライドキャップ３に代えて、シリンダの上部に延設した筒状壁１５で囲まれる固定式の空所によりダンパの第２室Ｓ２を構成することもできる。ただし蓋体１６で第２室Ｓ２を気密に閉じると共に、第２室Ｓ２内に圧縮性ガスを充填する場合は、その圧縮性ガスの付勢力で、元の状態に復帰させることができる。
【００３６】
図５の噴出遅延機構Ｃは、固定式の第２シリンダ２１を第１シリンダ１の上部側に延設し、その第２シリンダ２１の内部に第２ピストン２２をスライド自在に収容し、第２シリンダ２１と第２ピストン２２とで構成される空所をダンパの第２室Ｓ２としたものである。このものの第２ピストン２２と蓋体１６との間には、第２ピストン２２を下方に付勢するためのコイルスプリング２４を収容している。蓋体１５には通気孔２５が形成されている。第１シリンダ１、第１ピストン２、液体４などの他の構成については、図１ａの機構Ａと実質的に同じである。なお図１ａの機構Ａにおける端面壁６は、ここでは第１室Ｓ１と第２室Ｓ２とを仕切る隔壁２６である。
【００３７】
このものは噴射を遅延させる作用に関しては図１ａ〜図１ｂの噴出遅延機構Ａとほぼ同じである。すなわち、最初は図５ａのようにピストン２が噴出孔８を塞いでおり、図５ｂのようにピストン２が上昇して噴出孔８が圧力室Ｐと連通すると、噴出が始まる。ただしこのときコイルスプリング２４の反力により、ピストン２を上昇させるときの抵抗が次第に大きくなる。またこのものもピストン２が圧力室Ｐと第１室Ｓ１とを隔離しているので、液体４が内容物に混入することがない。
【００３８】
この実施形態ではさらに第２ピストン２２が常時コイルスプリング２４により下方に付勢されている。そのため、エヤゾール装置の噴出を停止して圧力室Ｐの内圧が減少したとき、コイルスプリング２４が第２ピストン２２を下方に押圧し、液体４が第１室Ｓ１に戻る。そしてその液体４の圧力でピストン２が元の状態に戻る。そのため全体が自動的に元の状態に復帰する。
【００３９】
なおコイルスプリング２４に代えて、他のバネを設けてもよい。図４の噴射遅延機構Ｂにおいて第２室Ｓ２内に圧縮ガスを充填したものは、見方を変えれば、図５の機構Ｃにおいて、圧縮ガスをバネとして利用したものである。またコイルスプリング２４などのバネを省略し、第２ピストン２２を上方に延ばすなどにより、外部から復帰操作可能な構成とすることができる（図９の実施形態参照）。
【００４０】
図６に示す噴出遅延機構Ｄは、図１ａの機構Ａと同じく、シリンダ１と、その先端側にスライド自在に設けたスライドキャップ３と、シリンダ１内に充填した液体４とを備えている。またシリンダ１には環状突起１ａを設け、スライドキャップ３にはそれと係合するストッパ３ａを設けている。しかしピストン２に代えて、スライドキャップ３の側壁部、具体的にはストッパ３ａをスライド弁としている。なおスライドキャップ３をシリンダ１の外周に嵌合させるときにスライドキャップ３が拡がり易いよう、その下部に縦方向のスリットを設けてもよい。しかしそのスリットは噴出孔８と重ならない位置にし、かつ、スライドキャップ３がシリンダ１の廻りに回転しないように廻り止めを設ける。
【００４１】
このものも図１ａ〜図１ｂの機構Ａと実質的に同じ作用を奏する。すなわち始めはスライドキャップ３のストッパ３ａが噴出孔８を外側から塞いでおり（図６ａ）、圧力室Ｐ内にエヤゾール装置の内容物が充填されると液体４が加圧され、連通孔９を通って第２室Ｓ２内に移動し、スライドキャップ３を押し上げる（図６ｂ）。そしてスライドキャップ３の下端が噴出孔８よりも上昇したとき、噴出孔８が圧力室Ｐと連通し、内容物が噴出する（矢印Ｋ）。この実施形態では、スライド弁を構成するスライドキャップ３を矢印Ｒで示すように、直接押し下げることができる。それにより、そのスライドキャップ３の押し下げに基づく圧力で、液体４が元の状態に復帰する。
【００４２】
図６ａの機構Ｄにおいては、始めはスライドキャップ３が噴出孔８を塞いでおり、噴出孔８が開放されるときには液体４はかなり上方に移動している。そのため液体４が外部に流出することはない。しかし液体４とステム１０から導入される内容物とが一層確実に混じらないように、想像線で示すピストン２７をシリンダ１内に摺動自在に収容したり、ベローズ（図示されていない）を介在させたりすることもできる。
【００４３】
図７に示す噴出遅延機構Ｅは、ピストン２を中空にして、その内部をダンパの第１室Ｓ１としたものである。この機構Ｅでは隔壁２６を支柱２８でシリンダ１の端面壁２９に固定し、それらの間の空所をダンパの第２室Ｓ２としている。またピストン２の内面と隔壁２６の外周面との隙間３０が流路抵抗となっている。第２室Ｓ２は外部と連通させてもよく、密閉して圧縮性ガスを充填してもよい。連通させる場合は、たとえば想像線で示すように、支柱２８を貫通するピストンロッドないし操作棒３１をピストン２に取り付けることにより、外部からピストン２を操作できるようにしてもよい。このものも前述の噴出遅延機構Ａなどと同じ作用効果を奏する。
【００４４】
図８に示す噴出遅延機構Ｆは、シリンダ１の上部に圧力室Ｐを設け、下部にダンパの第１室Ｓ１を設け、中空のピストン２の内部を第２室Ｓ２としたものである。ピストン２の内部と第１室Ｓ１とはピストン２の下面の連通孔９により連通している。このものも図７の機構Ｅと実質的に同じ作用効果を奏する。また想像線で示すように、外部から操作することができる操作棒３１をピストン２に連結することもできる。図８の実施形態から分かるように、ダンパと圧力室Ｐとはどのような位置関係にあってもよく、物理的に、あるいは流体回路的に連結されて連動するように構成していればよい。
【００４５】
図９に示す噴出遅延機構Ｇは、図４の機構Ｂのピストン２に、蓋体１６および隔壁２６を貫通するピストンロッドないし操作棒３１を連結したものである。このものは操作棒３１により、直接ピストン２を元の位置に復帰させることができ、それにより液体４を第１室Ｓ１に戻すことができる。
【００４６】
本発明のエヤゾール装置の噴出遅延機構は、噴出孔を高粘度の液体で塞がず、スライド弁などの塞ぎ／連通させる部材で開閉するようにしている。そのため液体が外部に散布される問題がない。さらに、噴出孔には充填した高粘度の液体が通らず、噴出させる内容物だけが通る。そのため噴出孔は内容物の噴出形態に応じた適切な形態を選択することができ、他方、遅延時間は抵抗要素により任意に設定することができる。
【００４７】
抵抗要素として特定のダンパを採用し、そのダンパの第２室を加圧する手段を備えた装置では、ダンパの第２室を加圧することにより第２室内の流体を第１室に戻すことができる。そのため、スライド弁で噴出孔を再び塞ぐと共に第２室を加圧すれば、噴出遅延機構が元の状態に戻る。それにより一旦停止したエヤゾール装置を再度開弁するときにも遅延作用を奏させることができる。
【図面の簡単な説明】
【図１】  図１ａおよび図１ｂは、それぞれ本発明の噴出遅延機構の一実施
形態における閉状態および開状態を示す断面図である。
【図２】  本発明の噴出遅延機構付きのエヤゾール装置の一実施形態を示す要部断面図である。
【図３】  本発明に関わる開弁状態保持機構を備えた噴出遅延機構付きのエヤゾール装置の他の実施形態を示す要部断面図である。
【図４】  本発明の噴出遅延機構の他の実施形態を示す断面図である。
【図５】  図５ａおよび図５ｂは、本発明の噴出遅延機構の他の実施形態を
、それぞれ閉状態および開状態において示す断面図である。
【図６】  図６ａおよび図６ｂは、本発明の噴出遅延機構の他の実施形態を
、それぞれ閉状態および開状態において示す断面図である。
【図７】  本発明の噴出遅延機構の他の実施形態を示す断面図である。
【図８】  本発明の噴出遅延機構の他の実施形態を示す断面図である。
【図９】  本発明の噴出遅延機構の他の実施形態を示す断面図である。
【符号の説明】
Ａ  噴出遅延機構
１  シリンダ
２  ピストン
３  スライドキャップ
４  液体
５  導入口
６  端面壁
７  側壁
８  噴出孔
９  連通孔
Ｐ  圧力室
Ｓ１  第１室
Ｓ２  第２室
Ｔ  エヤゾール装置
Ｔ２  エヤゾール装置
【図１】
0003739863.tif 000002
【図２】
0003739863.tif 000003
【図３】
0003739863.tif 000004
【図４】
0003739863.tif 000005
【図５】
0003739863.tif 000006
【図６】
0003739863.tif 000007
【図７】
0003739863.tif 000008
【図８】
0003739863.tif 000009
【図９】
0003739863.tif 000010